(57)【要約】【課題】  テレビ放送を受信可能な通信装置が受信したテレビ放送番組を特定する取扱情報特定装置において、通信装置と常に通信可能に接続されていなくても、通信装置が受信したテレビ放送番組を特定することができるようにする。【解決手段】  ホストサーバ１０は、テレビ放送を受信し、受信したテレビ放送番組の放送日時および放送チャンネルの情報を表す受信情報を記憶し、外部から要求を受けると受信ログを送信する通信装置３０ａ〜３０ｃに対して通信可能に接続されている。そして、このホストサーバ１０は、受信番組情報取得処理において、この通信装置３０ａ〜３０ｃから受信ログを取得し、受信ログおよびテレビ放送番組の情報を表す電子番組表を取得し、取得した受信ログおよび電子番組表を照合することにより、受信ログから通信装置３０ａ〜３０ｃが受信したテレビ放送番組を特定する。【選択図】  図１
2007104209.tif 000002
【特許請求の範囲】
【請求項１】
自己が取り扱った情報の少なくとも一部を取扱情報として記憶し外部から要求を受けると前記取扱情報を送信する通信装置、との間で通信を行う対通信装置通信手段と、
前記対通信装置通信手段を介して、前記通信装置から取扱情報を取得する取扱情報取得手段と、
前記取扱情報取得手段により取得された取扱情報に基づいて、前記通信装置が取り扱った情報を特定する取扱情報特定手段と、
を備えたことを特徴とする取扱情報特定装置。
【請求項２】
通信装置の使用者の嗜好を調査するためのキーワードが予め記憶されたキーワード記憶手段と、
前記取扱情報取得手段により取得された取扱情報に、前記キーワード記憶手段に記憶されたキーワードが含まれているか否かを判定するキーワード判定手段と、
前記キーワード判定手段により前記キーワードが含まれていると判定した場合に、前記通信装置の使用者が前記キーワードを含む情報を取り扱ったことを判定結果記憶手段に記憶させる格納手段と、
を備えたことを特徴とする請求項１に記載の取扱情報特定装置。
【請求項３】
テレビ放送番組毎に、放送日時、放送チャンネル、およびテレビ放送番組の内容を表す番組情報を取得する番組情報取得手段を備え、
前記対通信装置通信手段は、テレビ放送を受信し、受信したテレビ放送番組の放送日時および放送チャンネルを表す受信情報を前記取扱情報として記憶し、外部から要求を受けると該記憶した受信情報を送信する通信装置、との間で通信を行い、
前記取扱情報取得手段は、前記対通信装置通信手段を介して、前記通信装置から前記受信情報を取得し、
前記取扱情報特定手段は、前記取扱情報取得手段が取得した受信情報、および前記番組取得手段が取得した番組情報を照合することにより、前記受信情報から前記通信装置が受信したテレビ放送番組を特定すること
を特徴とする請求項１に記載の取扱情報特定装置。
【請求項４】
通信装置の使用者の嗜好を調査するためのキーワードが予め記憶されたキーワード記憶手段と、
前記取扱情報特定手段により特定されたテレビ放送番組の番組情報に、前記キーワード記憶手段に記憶されたキーワードが含まれているか否かを判定するキーワード判定手段と、
前記キーワード判定手段により前記キーワードが含まれていると判定した場合に、通信装置の使用者が前記キーワードを含むテレビ放送番組を視聴したことを判定結果記憶手段に記憶させる格納手段と、
を備えたことを特徴とする請求項３に記載の取扱情報特定装置。
【請求項５】
前記キーワード記憶手段は複数のキーワードを記憶し、
前記キーワード判定手段は、前記キーワード記憶手段に記憶されたキーワード毎に、前記取扱情報特定手段により特定されたテレビ放送番組の番組情報に、各キーワードが含まれているか否かを判定し、
前記格納手段は、前記キーワード判定手段により前記キーワードが含まれていると判定した場合に、前記キーワード毎に、通信装置の使用者が前記キーワードを含む番組を視聴したことを判定結果記憶手段に記憶させること
を特徴とする請求項４に記載の取扱情報特定装置。
【請求項６】
前記判定結果記憶手段は、前記キーワード毎に設定された複数の記憶領域を備え、この記憶領域のそれぞれに、キーワードを含むテレビ放送番組の視聴回数を記憶するよう設定されており、
前記格納手段は、前記キーワード判定手段により前記キーワードが含まれていると判定した場合に、前記通信装置と前記キーワードとに基づいて前記判定結果記憶手段の複数の記憶領域の中から対応する記憶領域を選択し、この記憶領域に記憶されている視聴回数をカウントアップして上書きすること
を特徴とする請求項４または請求項５に記載の取扱情報特定装置。
【請求項７】
前記通信装置の所有者が所持する端末装置との間で通信を行うための対端末装置通信手段と、
前記判定結果記憶手段の特定の記憶領域に記憶された視聴回数が、予め設定された設定値を超えた場合に、前記対端末装置通信手段を介して、この記憶領域に関連付けられたキーワードに対応した情報を前記端末装置に送信する情報送信手段と、
を備えたことを特徴とする請求項６に記載の取扱情報特定装置。
【請求項８】
前記番組情報取得手段は、前記各テレビ放送番組の番組情報として、テレビ放送番組の放送日時および放送チャンネルにより特定される放送番組名と、このテレビ放送番組を説明する番組説明文とがそれぞれテキストデータで記述された電子番組表を取得することを特徴とする請求項３〜請求項７の何れかに記載の取扱情報特定装置。
【請求項９】
前記対通信装置通信手段は、複数の通信装置に対して通信可能に接続されており、
前記取扱情報取得手段は、これらの複数の通信装置のそれぞれから、前記対通信装置通信手段を介して前記取扱情報を取得すること
を特徴とする請求項１〜請求項８の何れかに記載の取扱情報特定装置。
【請求項１０】
前記通信装置を操作するための操作コマンドと、この操作コマンドの送信元を特定するための識別情報とを送信可能な操作装置との間で通信を行うための対操作装置通信手段と、
前記操作装置から前記対操作装置通信手段を介して前記操作コマンドおよび前記識別情報を受信すると、受信した識別情報に基づいて、この操作装置に関連付けて記憶された通信装置を特定する機器特定手段と、
前記機器特定手段により特定された通信装置に対して前記操作コマンドを送信するコマンド送信手段と、
を備えたことを特徴とする請求項９に記載の取扱情報特定装置。
【請求項１１】
前記各通信装置が認識可能な操作コマンドのデータ形式を、前記通信装置毎に記憶する形式記憶手段と、
前記機器特定手段により特定された通信装置に対応するデータ形式を前記形式記憶手段から読み出し、前記受信した操作コマンドを読み出したデータ形式の操作コマンドに書き換える書換手段と、を備え、
前記コマンド送信手段は、前記書換手段により書き換えられた操作コマンドを送信すること
を特徴とする請求項１０に記載の取扱情報特定装置。
【請求項１２】
監視対象の通信装置との間で通信を行う対通信装置通信手段と、
前記対通信装置通信手段を介して、前記通信装置が取り扱った情報を表す取扱情報を取得する取扱情報取得手段と、
前記取扱情報取得手段により取得された取扱情報に基づいて、前記通信装置が取り扱った情報を特定する取扱情報特定手段と、
通信装置の使用者の嗜好を調査するためのキーワードが予め記憶されたキーワード記憶手段と、
前記取扱情報取得手段により取得された取扱情報に、前記キーワード記憶手段に記憶されたキーワードが含まれているか否かを判定するキーワード判定手段と、
前記キーワード判定手段により前記キーワードが含まれていると判定した場合に、前記通信装置の使用者が前記キーワードを含む情報を取り扱ったことを判定結果記憶手段に記憶させる格納手段と、
を備えたことを特徴とする取扱情報特定装置。
【発明の詳細な説明】
【技術分野】
【０００１】
本発明は、通信装置の取扱情報を特定する取扱情報特定装置に関する。
【背景技術】
【０００２】
従来より、上記取扱情報特定装置として、通信装置（視聴者端末）と通信網を介して接続されたものが知られている。この取扱情報特定装置に接続された通信装置は、テレビ放送番組を受信可能であって、受信する放送チャンネルを切り替えたときに、切り替え先の放送チャンネルを表すチャンネル情報を取扱情報特定装置に送信する（例えば、特許文献１参照）。
【０００３】
そして、この取扱情報特定装置においては、明確に記載はされていないが、予め電子番組表を取得しておき、現在時刻および通信装置から受信したチャンネル情報と、電子番組表に記載の内容とに基づいて、通信装置が受信したテレビ放送番組を特定しているものと思われる。
【特許文献１】特許第３５２０２６７号公報
【発明の開示】
【発明が解決しようとする課題】
【０００４】
しかしながら、上記取扱情報特定装置においては、通信装置が受信放送チャンネルを切り替えるときに、取扱情報特定装置と通信装置とが常に通信可能に接続されていなければ、通信装置からのチャンネル情報を受信することができないため、通信網の状態によってはテレビ放送番組を特定できないという問題点があった。
【０００５】
このような問題は、テレビ放送を受信する通信装置から情報を取得する装置に限らず、一般的な通信装置の操作状態を検出する装置においても同様に起こりうる問題である。
そこで、このような問題点を鑑み、通信装置との間で通信を行い、通信装置が取り扱った取扱情報を特定する取扱情報特定装置において、通信装置と常に通信可能に接続されていなくても、取扱情報を特定することができるようにすることを本発明の目的とする。
【課題を解決するための手段】
【０００６】
かかる目的を達成するために成された請求項１に記載の取扱情報特定装置は、自己が取り扱った情報の少なくとも一部を取扱情報として記憶し外部から要求を受けると前記取扱情報を送信する通信装置、との間で通信を行う対通信装置通信手段と、前記対通信装置通信手段を介して、前記通信装置から取扱情報を取得する取扱情報取得手段と、前記取扱情報取得手段により取得された取扱情報に基づいて、前記通信装置が取り扱った情報を特定する取扱情報特定手段と、を備えたことを特徴としている。
【０００７】
即ち、対通信装置通信手段が任意のタイミングで通信装置と通信を行うことにより、取扱情報取得手段は、通信装置に記憶された取扱情報を取得する。
従って、このような取扱情報特定装置によれば、通信装置と常に通信可能に接続されていなくても、取扱情報を取得し、特定することができる。
【０００８】
ところで、請求項１に記載の取扱情報特定装置においては、請求項２に記載のように、通信装置の使用者の嗜好を調査するためのキーワードが予め記憶されたキーワード記憶手段と、取扱情報取得手段により取得された取扱情報に、キーワード記憶手段に記憶されたキーワードが含まれているか否かを判定するキーワード判定手段と、キーワード判定手段によりキーワードが含まれていると判定した場合に、通信装置の使用者がキーワードを含む情報を取り扱ったことを判定結果記憶手段に記憶させる格納手段と、を備えていることが望ましい。
【０００９】
このような取扱情報特定装置によれば、通信装置が受信した番組情報に特定のキーワードが含まれているか否かを判定することができるので、視聴者がキーワードにより識別される特定の種類のテレビ放送番組を受信したか否かを容易に判定することができる。つまり、視聴者が特定の事項に対して嗜好を有するか否かを調査することができる。
【００１０】
或いは、請求項１に記載の取扱情報特定装置においては、請求項３に記載のように、テレビ放送番組毎に、放送日時、放送チャンネル、およびテレビ放送番組の内容を表す番組情報を取得する番組情報取得手段を備え、対通信装置通信手段は、テレビ放送を受信し、受信したテレビ放送番組の放送日時および放送チャンネルを表す受信情報を取扱情報として記憶し、外部から要求を受けると記憶した受信情報を送信する通信装置との間で通信を行い、取扱情報取得手段は、対通信装置通信手段を介して、通信装置から受信情報を取得し、取扱情報特定手段は、取扱情報取得手段が取得した受信情報、および番組取得手段が取得した番組情報を照合することにより、受信情報から通信装置が受信したテレビ放送番組を特定するようにしてもよい。
【００１１】
このような取扱情報特定装置によれば、放送チャンネルの情報とともに、テレビ放送番組の放送日時の情報も受信するので、通信装置と常に通信可能に接続することなく、通信装置が受信したテレビ放送番組の放送日時および放送チャンネルの情報を表す受信情報を取得することができる。つまり、通信装置が受信したテレビ放送番組を容易に特定することができる。
【００１２】
なお、取扱情報取得手段が受信情報を取得するタイミングは、番組放送中や番組放送後の任意のタイミングでよい。
また、本発明（請求項３）における通信装置としては、テレビ受像機、録画機、ケーブルＴＶのチューナ等が考えられる。
【００１３】
そして、取扱情報取得手段は、インターネット網や電話回線網等のネットワークや、直接通信装置に対して接続された専用線を介して受信情報を取得すればよい。
さらに、番組情報取得手段は、テレビ放送電波や、ネットワークを介して接続されたサーバ等から最新の番組情報や過去の番組情報を取得すればよい。
【００１４】
また、請求項３に記載の取扱情報特定装置において、番組情報取得手段により取得される番組情報がテキストデータからなる場合には、請求項４に記載のように、視聴者の嗜好を調査するためのキーワードが予め記憶されたキーワード記憶手段と、取扱情報特定手段により特定されたテレビ放送番組の番組情報に、キーワード記憶手段に記憶されたキーワードが含まれているか否かを判定するキーワード判定手段と、キーワード判定手段によりキーワードが含まれていると判定した場合に、視聴者がキーワードを含むテレビ放送番組を視聴したことを判定結果記憶手段に記憶させる格納手段と、を備えていることが望ましい。
【００１５】
このような取扱情報特定装置によれば、通信装置が受信した番組情報に特定のキーワードが含まれているか否かを判定することができるので、視聴者がキーワードにより識別される特定の種類のテレビ放送番組を受信したか否かを容易に判定することができる。つまり、視聴者が特定の事項に対して嗜好を有するか否かを調査することができる。
【００１６】
さらに、請求項４に記載の取扱情報特定装置において、キーワード記憶手段が複数のキーワードを記憶している場合には、請求項５に記載のように、キーワード判定手段は、キーワード記憶手段に記憶されたキーワード毎に、取扱情報特定手段により特定されたテレビ放送番組の番組情報に、各キーワードが含まれているか否かを判定し、格納手段は、キーワード判定手段によりキーワードが含まれていると判定した場合に、キーワード毎に、視聴者がキーワードを含む番組を視聴したことを判定結果記憶手段に記憶させることが望ましい。
【００１７】
このような取扱情報特定装置によれば、通信装置が受信した番組情報に、複数のキーワードの何れかが含まれている否かを判定することができるので、通信装置がどのような種類のテレビ放送番組を受信したのかを容易に判定することができる。この結果、視聴者の嗜好を調査することができる。
【００１８】
加えて、請求項４または請求項５に記載の取扱情報特定装置においては、請求項６に記載のように、判定結果記憶手段は、キーワード毎に設定された複数の記憶領域を備え、この記憶領域のそれぞれに、キーワードを含むテレビ放送番組の視聴回数を記憶するよう設定されており、格納手段は、キーワード判定手段によりキーワードが含まれていると判定した場合に、通信装置とキーワードとに基づいて判定結果記憶手段の複数の記憶領域の中から対応する記憶領域を選択し、この記憶領域に記憶されている視聴回数をカウントアップして上書きすることが望ましい。
【００１９】
このような取扱情報特定装置によれば、キーワードが含まれているテレビ放送番組の受信回数を容易に計数することができるので、視聴者が好むテレビ放送番組を容易に特定することができる。
【００２０】
なお、本発明（請求項６）は、請求項２に係る発明の従属項にすることもできる。この場合には、「テレビ放送番組の視聴回数」との記載を「情報の取扱回数」との記載に改めるとともに、「視聴回数」との記載を「取扱回数」との記載に改めればよい。
【００２１】
また、次に述べる請求項７についても同様に請求項２に係る発明の従属項にすることができる。
また、請求項６に記載の取扱情報特定装置においては、請求項７に記載のように、通信装置の所有者が所持する端末装置との間で通信を行うための対端末装置通信手段と、判定結果記憶手段の特定の記憶領域に記憶された視聴回数が、予め設定された設定値を超えた場合に、対端末装置通信手段を介して、この記憶領域に関連付けられたキーワードに対応する情報を端末装置に送信する情報送信手段と、を備えていることが望ましい。
【００２２】
つまり、興味のない情報を無作為に送信しても、その情報が不要な者にとっては迷惑になるだけであるため、ある程度その情報に興味があると思われる者を厳選し、その者にのみ特定の情報を配信するようにしているのである。
【００２３】
従って、このような取扱情報特定装置によれば、特定のキーワードが含まれたテレビ放送番組を所定の回数以上見た者（通信装置の所有者）にのみキーワードから得られる嗜好に対応する情報を送信することができるので、その情報の配信を効果的に行うことができる。
【００２４】
さらに、請求項３〜請求項７の何れかに記載の取扱情報特定装置において、番組情報取得手段は、請求項８に記載のように、各テレビ放送番組の番組情報として、テレビ放送番組の放送日時および放送チャンネルにより特定される放送番組名と、このテレビ放送番組を説明する番組説明文とがそれぞれテキストデータで記述された電子番組表を取得することが望ましい。
【００２５】
このような取扱情報特定装置によれば、放送番組名と、そのテレビ放送番組を説明する説明文とが記述された電子番組表を取得し、この電子番組表にキーワードが含まれているか否かを判断するので、視聴者の嗜好を容易に調査することができる。
【００２６】
また、電子番組表は、既に配信されているものを使用することができるので、新たに番組表に相当するデータベースを構築する手間を省くことができる。
さらに、請求項１〜請求項８の何れかに記載の取扱情報特定装置において、取扱情報取得手段は、請求項９に記載のように、複数の通信装置に対して通信可能に接続されており、取扱情報取得手段は、これらの複数の通信装置のそれぞれから、対通信装置通信手段を介して受信情報を取得することが望ましい。
【００２７】
このような取扱情報特定装置によれば、複数の通信装置がそれぞれ受信したテレビ放送番組を特定することができる。
また、請求項９記載の取扱情報特定装置においては、請求項１０に記載のように、  通信装置を操作するための操作コマンドと、この操作コマンドの送信元を特定するための識別情報とを送信可能な操作装置との間で通信を行うための対操作装置通信手段と、操作装置から対操作装置通信手段を介して操作コマンドおよび識別情報を受信すると、受信した識別情報に基づいて、この操作装置に関連付けて記憶された通信装置を特定する機器特定手段と、機器特定手段により特定された通信装置に対して操作コマンドを送信するコマンド送信手段と、を備えていることが望ましい。
【００２８】
このような取扱情報特定装置によれば、操作装置を用いて容易に通信装置を操作することができる。また、通信装置はこの取扱情報特定装置のみと通信可能にすればよいので、通信装置の通信機能を簡素化することができる。
【００２９】
加えて、請求項１０に記載の取扱情報特定装置においては、請求項１１に記載のように、各通信装置が認識可能な操作コマンドのデータ形式を、通信装置毎に記憶する形式記憶手段と、機器特定手段により特定された通信装置に対応するデータ形式を形式記憶手段から読み出し、受信した操作コマンドを読み出したデータ形式の操作コマンドに書き換える書換手段と、を備え、コマンド送信手段は、書換手段により書き換えられた操作コマンドを送信することが望ましい。
【００３０】
このような取扱情報特定装置によれば、操作装置側にて通信装置が受信可能なデータ形式の操作コマンドに変換することなく的確な操作コマンドを通信装置に送信することができる。
【００３１】
次に、請求項１２に係る取扱情報特定装置は、監視対象の通信装置との間で通信を行う対通信装置通信手段と、前記対通信装置通信手段を介して、前記通信装置が取り扱った情報を表す取扱情報を取得する取扱情報取得手段と、前記取扱情報取得手段により取得された取扱情報に基づいて、前記通信装置が取り扱った情報を特定する取扱情報特定手段と、通信装置の使用者の嗜好を調査するためのキーワードが予め記憶されたキーワード記憶手段と、前記取扱情報取得手段により取得された取扱情報に、前記キーワード記憶手段に記憶されたキーワードが含まれているか否かを判定するキーワード判定手段と、前記キーワード判定手段により前記キーワードが含まれていると判定した場合に、前記通信装置の使用者が前記キーワードを含む情報を取り扱ったことを判定結果記憶手段に記憶させる格納手段と、を備えたことを特徴としている。
【００３２】
即ち、本発明（請求項１２）は、請求項１における大部分の記載と、請求項２の記載とを含んだものになっている。
従って、このような取扱情報特定装置によれば、通信装置が受信した番組情報に特定のキーワードが含まれているか否かを判定することができるので、通信装置の使用者がキーワードにより識別される特定の操作を行ったか否かを容易に判定することができる。つまり、携帯電話機の使用者が特定の事項に対して嗜好を有するか否かを調査することができる。
【００３３】
なお、本発明（請求項１２）には、請求項３〜請求項１１の何れかに記載の内容（ただし、請求項１および請求項２に記載の内容を除く）を従属させてもよい。
【発明を実施するための最良の形態】
【００３４】
以下に本発明にかかる実施の形態を図面と共に説明する。
【実施例１】
【００３５】
図１は、本発明の取扱情報特定装置としてのホストサーバ１０を備えたシステムの構成を示すブロック図である。
このシステムにおいては、図１に示すように、インターネット網７に、ホストサーバ１０と、ＥＰＧ（電子番組表）サーバ９１と、メーカサーバ９２と、携帯電話事業者の基地局９３と、スポンササーバ９４と、各通信装置３０ａ〜３０ｃ（通信装置（Ａ）３０ａ、通信装置（Ｂ）３０ｂ、通信装置（Ｃ）３０ｃ…）とが接続されて構成されている。また、基地局９３は、電話回線網９と通信可能に接続されているとともに、複数の携帯電話機２０（本発明で言う端末装置および操作装置）と無線通信可能に構成されている。
【００３６】
ホストサーバ１０は、ＣＰＵ、ＲＯＭ、ＲＡＭ等を具備した公知のマイクロコンピュータとして機能する制御部１１と、制御部１１による処理に必要なデータを格納する各データベース（Ｄ．Ｂ．）と、インターネット網７を介して外部と通信するための通信部１５（本発明で言う対通信装置通信手段、対端末装置通信手段、および対操作装置通信手段）とが備えられている。
【００３７】
データベースとしては、ＥＰＧデータベース１２、スポンサデータベース１３（本発明で言うキーワード記憶手段）、およびユーザデータベース１４（本発明で言う判定結果記憶手段、および形式記憶手段）とを備えている。
【００３８】
ＥＰＧデータベース１２は、ＥＰＧサーバ９１から配信されたＥＰＧデータを蓄積するために用いられる。なお、ここでいうＥＰＧデータとは、公知の電子番組表データを意味し、テレビ放送チャンネルとテレビ放送日時とを各軸に設定したマトリクス構造とされており、このテレビ放送チャンネルとテレビ放送日時とにより決定される各欄に、放送番組名とこの放送番組の説明を示す番組情報とが関連付けて設定されている。このＥＰＧデータは、随時（例えば１５分毎に）通信部１５を介して取得され、例えば、１０日分のデータが蓄積される（本発明で言う番組情報取得手段に相当）。
【００３９】
スポンサデータベース１３は、スポンササーバ９４から送信された各種データ（具体的には、後述するキーワード抽出処理の際に使用されるキーワードのデータや、メール送信処理の際にメールを転送するか否かを決定するための設定値）を格納する。
【００４０】
ユーザデータベース１４は、予め設定されたユーザの情報を格納する。このユーザの情報は、必要に応じて更新可能に設定されており、例えば、通信装置毎に、ユーザ名、通信装置のメーカ名、通信装置の機種名、通信装置の製造番号、通信装置を操作するための操作コマンドのデータ形式、ユーザの携帯電話のメールアドレス等が関連付けて記憶されている。
【００４１】
また、このユーザデータベース１４には、ユーザが好んで試聴するテレビ放送番組の種類（ジャンル）を調査するために使用される累積表データ５１（図４参照）も記憶される。
【００４２】
次に、ＥＰＧサーバ９１は、現在時刻に基づいて、常時ＥＰＧデータを更新し、ホストサーバ１０を含む通信相手に最新のＥＰＧデータを配信する。また、インターネット網７を介してＥＰＧデータの要求を受けた場合にも、最新のＥＰＧデータを配信する。
【００４３】
メーカサーバ９２は、ホストサーバ１０からの通信装置を遠隔操作するための操作コマンドを送信するよう指令を受けると、特定の通信装置と通信を行い、この通信装置に対して操作コマンドを送信する。
【００４４】
スポンササーバ９４は、ホストサーバ１０が使用する各種データの設定を行なうために使用される。
次に、基地局９３と無線通信可能な携帯電話機２０は、この携帯電話機２０を統括制御する制御部２１と、携帯電話機２０のユーザが操作指令を入力するための操作部２２と、制御部２１にて生成された画像を表示させるディスプレイ２３と、基地局９３に対して無線通信を行う通信部２４とを備えている。
【００４５】
ここで、この携帯電話機２０は、インターネット網７および基地局９３を介して、ＥＰＧサーバ９１からＥＰＧデータを受信する機能を有し、このＥＰＧデータに基づいて、携帯電話機２０のユーザが所持する通信装置（本実施例では通信装置（Ａ）３０を所持しているものとして説明する。）を遠隔操作するためのアプリケーションがインストールされている、
このアプリケーションを起動させると、携帯電話機２０の制御部２１は、通信部２４を用いてＥＰＧサーバ９１からＥＰＧデータを取得し、ＥＰＧデータの中から通信装置（Ａ）３０により受信したいテレビ放送番組がユーザにより選択されると、このテレビ放送番組の識別符号（例えば、このテレビ放送番組の受信日時、および受信チャンネルの情報を暗号化したもの）を送信する。その後は、ホストサーバ１０により録画予約処理（図６参照）のような処理が行われる。
【００４６】
なお、携帯電話機２０は、公知の通話機能、通信機能、および電子メール（以下、単にメールという。）送受信機能を具備するものであり、ホストサーバ１０にテレビ放送番組の識別符号を送信する際には、このメール機能を用いて識別符号を送信する。
【００４７】
つまり、携帯電話機２０は、アプリケーションにて定められた形式のメール文章に、識別符号（本発明で言う識別情報）等の必要事項を付加して送信する。
次に、通信装置（Ａ）３０は、例えば、テレビ放送番組を録画可能な録画機であって、この通信装置（Ａ）３０の統括制御を行う処理部３１と、インターネット網７を介して外部と通信を行うための通信部３２と、テレビ放送波からテレビ放送番組を選択して受信する受信部３５と、受信部３５が受信したテレビ放送番組を録画する録画部３３と、録画部３３が録画した（受信部３５が受信した）テレビ放送番組の放送日時とその放送チャンネルとを含む受信ログ（本発明で言う受信情報）等を記憶する記憶部３４と、を備えている。
【００４８】
この通信装置（Ａ）３０の処理部３１は、ホストサーバ１０またはメーカサーバ９２から通信部３２を介して録画予約指示を受けた場合には、記憶部３４に記憶し、録画予約指示において指定された時刻になると、指定された放送チャンネルにて録画を開始する。
【００４９】
また、処理部３１は、通信部３２を介してホストサーバ１０から受信ログの要求を受けると、記憶部３４に記憶された受信ログをホストサーバ１０に対して送信する。
ここで、記憶部３４には１０日分の受信ログが記憶されており、ホストサーバ１０に対して受信ログを送信すると、その受信ログに送信済フラグを立て、以降の通信の際には送信済フラグが立てられた通信ログを送信しないよう構成されている。
【００５０】
通信装置（Ｂ）３０ｂおよび通信装置（Ｃ）３０ｃについては、通信装置（Ａ）３０ａとその構成が同様であるため説明を省略する。
次に、ホストサーバ１０が各通信装置３０ａ〜３０ｃより受信ログを取得する処理について図２を用いて説明する。図２はホストサーバ１０の制御部１１が行う受信番組情報取得処理を示すフローチャートである。
【００５１】
なお、Ｓ１４０〜Ｓ１６０の処理は、本発明で言う取扱情報取得手段に相当し、Ｓ１９０の処理は、取扱情報特定手段に相当する。
この受信番組情報取得処理は、例えば、１日に３回、予め設定された時刻になると起動し、Ｓ１１０にて、ホストサーバ１０の通信相手となる通信装置を選択する。
【００５２】
そして、Ｓ１２０では、選択された通信装置に対して、通信を開始し、Ｓ１３０に移行する。
Ｓ１３０では、選択された通信装置と通信可能であるか否かを判定する。選択された通信装置と通信可能であれば、Ｓ１４０に移行し、通信不可能であれば、Ｓ１７０に移行する。
【００５３】
Ｓ１４０では、通信中の通信装置に対して、受信ログを要求する。
そして、Ｓ１５０に移行し、要求した受信ログが受信できたか否かを判定する。受信ログを受信できていれば、Ｓ１８０に移行し、受信ログを受信できていなければ、Ｓ１６０に移行する。
【００５４】
Ｓ１６０では、受信ログを受信するための通信時間が所定の時間を超えているか否か（即ち、タイムアウトになったか否か）を判定する。通信時間が所定の時間を超えていれば、Ｓ１７０に移行し、通信時間が所定の時間以内であれば、Ｓ１５０に戻る。
【００５５】
Ｓ１７０では、この通信機器に対して通信できなかったものとして、この機器に対する通信不可フラグを立てて、ユーザデータベース１４に記憶し、Ｓ２１０に移行する。
また、Ｓ１５０にて受信ログを受信できていた場合に移行するＳ１８０では、この通信機器に対する通信可フラグを立てて、ユーザデータベース１４に記憶し、Ｓ１９０に移行する。
【００５６】
そして、Ｓ１９０では、ＥＰＧデータベース１２に格納されたＥＰＧデータと受信ログとを照合し、この受信ログに対応する番組名を特定する。
次いで、Ｓ２００に移行し、この特定された番組名をユーザデータベース１４に通信装置と関連付けて記憶させ、Ｓ２１０に移行する。
【００５７】
Ｓ２１０では、まだ未通信の他の通信装置があり、その通信装置と通信を行うか否かを判定する。他の通信装置と通信を行う場合には、受信番組情報取得処理を繰り返し、他の通信装置と通信を行わない場合には、受信番組情報取得処理を終了する。
【００５８】
次に、ユーザデータベース１４に記憶された番組名およびこの番組名に関連する番組情報にキーワードが含まれているか否かを判定する処理について、図３を用いて説明する。図３は、ホストサーバ１０の制御部１１が行うキーワード抽出処理を示すフローチャートである。なお、キーワード抽出処理は、本発明で言うキーワード判定手段、および格納手段に相当する。
【００５９】
このキーワード抽出処理は、例えば、１日１回予め設定された時刻になると起動する処理であって、まず、Ｓ３１０にて特定の通信装置を選択する。なお、繰り返しキーワード抽出処理が実行されている場合には、未選択の通信装置を選択する。
【００６０】
そして、Ｓ３２０に移行し、データ抽出済フラグが立てられていない番組名を１つ選択し、Ｓ３３０に移行する。
Ｓ３３０では、ＥＰＧデータベース１２から選択した番組名に対する番組情報を取得し、Ｓ３４０に移行する。
【００６１】
次いで、Ｓ３４０にて、スポンサデータベース１３に記憶されたキーワードの１つを選択する。
そして、Ｓ３５０に移行し、このキーワードが番組名または番組情報に含まれているか否かを判定する。キーワードが番組名および番組情報に含まれている場合には、Ｓ３６０に移行し、キーワードが番組名および番組情報に含まれていない場合には、Ｓ３７０に移行する。
【００６２】
Ｓ３６０では、累積表データ５１の該当の欄の数値を１だけカウントアップし、上書き保存し、Ｓ３７０に移行する。
ここで、累積表データ５１とは、図４に示すように、一方の軸（横軸）に「温泉」、「野球」、「アイドル」等のキーワードが配置され、他方の軸（縦軸）に通信装置を特定するための識別符号が配置されているものを示す。
【００６３】
そして、この累積表データ５１において、キーワードと識別符号とにより決定される各欄には、キーワードを含むテレビ放送番組（詳しくは、番組名および番組情報）の受信回数を示す数値が記載されている。
【００６４】
なお、この累積表データ５１は、ユーザデータベース１４に格納されている。
次いで、図３のＳ３７０では、他のキーワードが番組名および番組情報に含まれているかについて調べるか否かを判定する。他のキーワードについて調べる場合には、Ｓ３４０に戻り、他のキーワードについて調べない場合には、Ｓ３７５に移行する。
【００６５】
Ｓ３７５では、他の番組名についてもキーワードの抽出を行うか否かを判定する。他の番組名についてもキーワードの抽出を行う場合には、Ｓ３２０に戻り、他の番組名についてはキーワードの抽出を行わない場合には、Ｓ３８０に移行する。
【００６６】
Ｓ３８０では、この通信装置についてデータ抽出済フラグを立てて、Ｓ３９０に移行する。
そして、Ｓ３９０では、他の通信装置についてもキーワードの抽出を行うか否かを判定する。他の通信装置についてもキーワードの抽出を行う場合には、キーワード抽出処理を繰り返し、他の通信装置についてはキーワードの抽出を行わない場合には、キーワード抽出処理を終了する。
【００６７】
次に、累積表データ５１の内容に基づいて、ホストサーバ１０が携帯電話機２０に対してメールを転送する処理について、図５を用いて説明する。図５は、ホストサーバ１０の制御部１１が実行するメール送信処理を示すフローチャートである。なお、このメール送信処理は、本発明で言う情報送信手段に相当する。
【００６８】
この処理は、スポンササーバ９４からメール転送コードが付加された情報メールが送信されてきたときに開始する。ここで、メール転送コードとは、例えば、メールの題名や、メール本文の文末等に付加された文字列を示し、ホストサーバ１０の制御部１１は、この文字列が予め記憶された文字列であるか否かに基づいて、スポンササーバ９４からの情報メールであることを認識する。
【００６９】
この処理は、図５に示すように、まず、Ｓ５１０にて、１つの通信装置を選択し、Ｓ５２０に移行する。
次に、Ｓ５２０に移行し、累積表データ５１において、この通信装置の特定のキーワードの欄の数値が、予め設定された設定値以上であるか否かを判定する。
【００７０】
例えば、メール転送コードにより、特定のキーワードは「温泉」であって、判定のための設定値が「３」である場合には、累積表データ５１において、選択中の通信装置と「温泉」とにより特定される欄の数値が「３」以上であるか否かを判定する。
【００７１】
そして、Ｓ５２０にて、この通信装置の特定のキーワードの欄の数値が設定値以上である場合には、Ｓ５３０に移行し、この通信装置の特定のキーワードの欄の数値が設定値未満である場合には、Ｓ５４０に移行する。
【００７２】
Ｓ５３０では、この通信装置に対してメール送信を行う旨を示すメール送信フラグを立てる。
そして、Ｓ５４０に移行し、未選択の他の通信装置があるか否かを判定する。未選択の他の通信装置がある場合には、Ｓ５１０に戻り、未選択の他の通信装置がない場合には、Ｓ５５０に移行する。
【００７３】
次いで、Ｓ５５０では、メール送信フラグが立てられた通信装置のユーザのメールアドレスをユーザデータベース１４から読み出し、これらのメールアドレスに対して、スポンササーバ９４から送信された情報メールを転送する。なお、このとき、メール転送コードは削除する。
【００７４】
そして、Ｓ５６０にて、メール送信フラグを解除し、メール送信処理を終了する。
次に、ユーザが携帯電話機２０を用いて録画の予約を行うときの処理について、図６を用いて説明する。図６はホストサーバ１０が実行する録画予約処理を示すフローチャートである。なお、この録画予約処理において、Ｓ６３０〜Ｓ６５０の処理は、本発明で言う機器特定手段に相当し、Ｓ６６０の処理は、書換手段に相当し、Ｓ６８０〜Ｓ７１０の処理は、コマンド送信手段に相当する。
【００７５】
この録画予約処理は、ホストサーバ１０がユーザデータベース１４に記憶されている携帯電話機２０のメールアドレスからメールを受信したときに開始され、Ｓ６１０にて受信したメールの種類が録画予約メールであるか否かを判定する。メールの種類が録画予約メールである場合には、Ｓ６２０に移行し、メールの種類が録画予約メールではない場合には、この録画予約処理を終了し、そのメールの種類に応じた処理を行う。
【００７６】
Ｓ６２０では、メールの書式が規定通りのものであるか否かを判定する。メールの書式が規定通りであれば、Ｓ６３０に移行し、メールの書式が規定通りではなければＳ７２０に移行する。
【００７７】
そして、Ｓ６３０では、メールアドレスをユーザデータベース１４と照合することにより、このユーザが所有する通信装置を製造したメーカを判定する。
さらに、Ｓ６４０にて、メールアドレスをユーザデータベース１４と照合することにより、この通信装置の機種を判定する。
【００７８】
そして、Ｓ６５０に移行し、メーカおよび機種の判定が正常に実行できたか否かを判定する。メーカおよび機種の判定が正常に実行できていれば、Ｓ６６０に移行し、メーカおよび機種の判定が正常に実行できていなければ、Ｓ７２０に移行する。
【００７９】
次に、Ｓ６６０では、録画予約データをメーカおよび機種に対応した書式に書き換える。なお、この書式は、ユーザデータベース１４に格納されたデータ形式の情報に基づいて書き換えられる。
【００８０】
そして、Ｓ６７０にて、データ送信先を決定する。ここで、データの送信先は、メーカや機種により、通信装置である場合もあるし、メーカサーバ９２である場合もある。データの送信先がメーカサーバ９２である場合には、メーカサーバ９２が通信装置に対して録画予約データを送信する。
【００８１】
次いで、Ｓ６８０に移行し、データ送信先との通信を開始する。この通信は、メーカや機種により、直接通信装置と通信を行う場合もあるし、メールを送信することにより通信装置と通信を行う場合もある。
【００８２】
次に、Ｓ６９０に移行し、録画予約データを送信する通信を終了したか否かを判定する。通信を終了していれば、Ｓ７００に移行し、通信を終了していなければ、Ｓ７１０に移行する。
【００８３】
そして、Ｓ７００では、予約を受け付けた旨を示す予約受付済メールを携帯電話機２０のメールアドレス宛に送信し、録画予約処理を終了する。
また、Ｓ７１０では、録画予約データを送信するための通信時間が所定の時間を超えているか否か（即ち、タイムアウトになったか否か）を判定する。通信時間が所定の時間を超えていれば、Ｓ７２０に移行し、通信時間が所定の時間以内であれば、Ｓ６９０に戻る。
【００８４】
そして、Ｓ７２０では、通信できなかったものとして、通信エラーメールを携帯電話機２０のアドレス宛に送信し、録画予約処理を終了する。
以上のように詳述したシステムにおいて、ホストサーバ１０（取扱情報特定装置）は、テレビ放送を受信し、受信したテレビ放送番組の放送日時および放送チャンネルを表す受信ログ（受信情報）を記憶し、外部から要求を受けると受信ログを送信する通信装置３０ａ〜３０ｃとの間で通信を行う通信部１５を備えている。そして、このホストサーバ１０は、受信番組情報取得処理において、通信部１５を介して通信装置３０ａ〜３０ｃから受信ログを取得し（取扱情報取得手段）、放送日時、放送チャンネル、およびテレビ放送番組の情報を表す電子番組表（番組情報）を取得し（番組情報取得手段）、取得した受信ログおよび電子番組表を照合することにより、受信ログから通信装置３０ａ〜３０ｃが受信したテレビ放送番組を特定する（取扱情報特定手段）。そして、電子番組表は、テレビ放送番組の放送日時および放送チャンネルにより特定される放送番組名と、このテレビ放送番組を説明する番組説明文とがそれぞれテキストデータで記述されている。
【００８５】
従って、このようなホストサーバ１０によれば、放送チャンネルの情報とともに、テレビ放送番組の放送日時の情報も受信するので、通信装置３０ａ〜３０ｃと常に通信可能に接続することなく、通信装置３０ａ〜３０ｃが受信したテレビ放送番組の放送日時および放送チャンネルの情報を表す受信ログを取得することができる。つまり、通信装置３０ａ〜３０ｃが受信したテレビ放送番組を容易に特定することができる。
【００８６】
また、電子番組表は、既に配信されているものを使用することができるので、新たに番組表に相当するデータベースを構築する手間を省くことができる。
ここで、従来のシステム（例えば、特許文献１に記載のシステム）では、視聴者が視聴したテレビ放送番組を特定することができたとしても、このように特定した情報から視聴者の嗜好を調査することはできなかった。そこで、本実施例のシステムにおいては、以下のような構成にしている。
【００８７】
即ち、ホストサーバ１０においては、視聴者の嗜好を調査するための複数のキーワードが予め記憶されたスポンサデータベース１３（キーワード記憶手段）を備えている。そして、キーワード抽出処理において、スポンサデータベース１３に記憶されたキーワード毎に、受信番組情報取得処理により特定されたテレビ放送番組に、スポンサデータベース１３に記憶されたキーワードが含まれているか否かを判定する処理（キーワード判定手段）と、キーワード判定手段によりキーワードが含まれていると判定した場合に、キーワード毎に、視聴者がキーワードを含むテレビ放送番組を視聴したことをユーザデータベース１４（判定結果記憶手段）に記憶する処理（格納手段）と、を実行する。
【００８８】
従って、このようなホストサーバ１０によれば、通信装置３０ａ〜３０ｃが受信した電子番組表に、複数のキーワードの何れかが含まれている否かを判定することができるので、通信装置３０ａ〜３０ｃがどのような種類のテレビ放送番組を受信したのかを容易に判定することができる。つまり、視聴者の嗜好を調査することができる。
【００８９】
加えて、ホストサーバ１０において、ユーザデータベース１４は、通信装置３０ａ〜３０ｃとキーワードとの組み合わせにより特定される複数の記憶領域のそれぞれに、キーワードを含むテレビ放送番組の視聴回数を記憶するよう設定されている。そして、ホストサーバ１０は、キーワード抽出処理において、キーワードが含まれていると判定した場合に、通信装置３０ａ〜３０ｃとキーワードとに基づいて複数の記憶領域の中から対応する記憶領域を選択し、この記憶領域に記憶されている視聴回数をカウントアップして上書きする。
【００９０】
従って、このようなホストサーバ１０によれば、キーワードが含まれているテレビ放送番組の受信回数を容易に計数することができるので、視聴者が好むテレビ放送番組を容易に特定することができる。
【００９１】
また、ホストサーバ１０においては、通信装置３０ａ〜３０ｃの所有者が所持する携帯電話機２０（端末装置）に対して通信を行う通信部１５（対端末装置通信手段）を備えている。そして、ホストサーバ１０は、メール送信処理にて、ユーザデータベース１４の特定の記憶領域に記憶された視聴回数が、予め設定された設定値を超えた場合に、対端末装置通信手段を介して、この記憶領域に関連付けられたキーワードから得られる嗜好に対応する情報を携帯電話機２０に送信する（情報送信手段）。
【００９２】
つまり、興味のない情報を無作為に送信しても、その情報が不要な者にとっては迷惑になるだけであるため、ある程度その情報に興味があると思われる者を厳選し、その者にのみ特定の情報を配信するようにしているのである。
【００９３】
従って、このようなホストサーバ１０によれば、特定のキーワードが含まれたテレビ放送番組を所定の回数以上見た者（通信装置３０ａ〜３０ｃの所有者）にのみキーワードから得られる嗜好に対応する情報を送信することができるので、その情報の配信を効果的に行うことができる。
【００９４】
さらに、ホストサーバ１０においては、複数の通信装置３０ａ〜３０ｃに対して通信可能に接続されており、受信番組情報取得処理にて、これらの複数の通信装置３０ａ〜３０ｃのそれぞれから、受信ログを取得する。
【００９５】
従って、このようなホストサーバ１０によれば、複数の通信装置３０ａ〜３０ｃがそれぞれ受信したテレビ放送番組を特定することができる。
また、ホストサーバ１０の通信部１５は、録画予約処理において、通信装置３０ａ〜３０ｃの所有者が所持し、この通信装置３０ａ〜３０ｃを操作するための操作コマンドと、この操作コマンドの送信元を特定するための識別情報とを送信可能な携帯電話機２０との間で通信可能に設定されており、ホストサーバ１０は通信部１５を介して操作コマンドおよび識別情報を受信すると、受信した識別情報に基づいて、この携帯電話機２０に関連付けて記憶された通信装置３０ａ〜３０ｃを特定する（機器特定手段）。そして、特定された通信装置３０ａ〜３０ｃに対して操作コマンドを送信する（コマンド送信手段）。
【００９６】
このようなホストサーバ１０によれば、携帯電話機２０を用いて通信装置３０ａ〜３０ｃを操作することができる。また、通信装置３０ａ〜３０ｃはこのホストサーバ１０のみと通信可能にすればよいので、通信装置３０ａ〜３０ｃの通信機能を簡素化することができる。
【００９７】
加えて、ホストサーバ１０のユーザデータベース１４は、各通信装置３０ａ〜３０ｃが認識可能な操作コマンドのデータ形式を、通信装置３０ａ〜３０ｃ毎に記憶している（形式記憶手段）。そして、ホストサーバ１０は、録画予約処理にて、特定された通信装置３０ａ〜３０ｃに対応するデータ形式をユーザデータベース１４から読み出し、受信した操作コマンドを読み出したデータ形式の操作コマンドに書き換え（書換手段）、書き換えられた操作コマンドを送信する。
【００９８】
従って、このようなホストサーバ１０によれば、携帯電話機２０側にて通信装置３０ａ〜３０ｃが受信可能なデータ形式の操作コマンドに変換することなく的確な操作コマンドを通信装置３０ａ〜３０ｃに送信することができる。
【００９９】
なお、本発明の実施の形態は、上記の実施形態に何ら限定されることはなく、本発明の技術的範囲に属する限り種々の形態を採りうる。
例えば、本実施例において、受信番組情報取得処理にて受信ログを取得するタイミングは、１日３回指定時刻としたが、番組放送中や番組放送後の任意のタイミングでよい。また、通信装置３０ａ〜３０ｃの電源が入っているときにのみ通信を行うようにしてもよい。
【０１００】
さらに、本実施例において通信装置３０ａ〜３０ｃは、録画機であるものとして説明したが、録画機に限らず、テレビ受像機、録画機、ケーブルＴＶのチューナ等のテレビ放送を受信可能な機器であればよい。
【０１０１】
また、ホストサーバ１０は、インターネット網７を介して受信ログを取得するよう構成したが、電話回線網９等のその他のネットワークや、直接通信装置３０ａ〜３０ｃに対して接続された専用線を介して受信ログを取得するよう構成してもよい。
【０１０２】
さらに、受信番組情報取得処理においては、ネットワークを介して電子番組表を受信するよう構成したが、テレビ放送電波等から電子番組表を取得してもよい。
また、録画予約処理においては、メールを受信したときにこの処理を開始するよう構成したが、携帯電話機２０がＷｅｂブラウザまたはアプリケーションを用いて直接ホストサーバ１０に対してアクセス可能な場合には、Ｗｅｂブラウザまたはアプリケーションにて録画予約がなされたときにこの処理を開始するように構成してもよい。
【０１０３】
この場合には、図６に示すＳ６１０およびＳ６２０の処理を、図７に示すＳ８１０〜Ｓ８３０の処理に置換するとよい。
即ち、図７に示す変形例の録画予約処理は、携帯電話機２０がＷｅｂブラウザまたはアプリケーションを用いて録画予約をしたときにこの処理を開始し、Ｓ８１０にて、携帯電話機２０に通信装置３０ａ〜３０ｃのメーカおよび機種の情報を要求する。
【０１０４】
そして、Ｓ８２０に移行し、通信装置３０ａ〜３０ｃのメーカおよび機種の情報が受信されたか否かを判定する。通信装置３０ａ〜３０ｃのメーカおよび機種の情報が受信されていれば、図６のＳ６３０に移行し、以下、図６に示す処理を行う。また、通信装置３０ａ〜３０ｃのメーカおよび機種の情報が受信されていなければ、Ｓ８３０に移行する。
【０１０５】
Ｓ８３０では、通信装置３０ａ〜３０ｃのメーカおよび機種の情報を受信するための通信時間が所定の時間を超えているか否か（即ち、タイムアウトになったか否か）を判定する。通信時間が所定の時間を超えていれば、図６に示すＳ７２０に移行し、以下、図６に示す処理を行う。一方、通信時間が所定の時間以内であれば、Ｓ８２０に戻る。
【０１０６】
このようにしても実施例と同様の効果が得られる。
また、上記構成を用いて、以下のようなこともできる。
例えば、ホストサーバ１０は、携帯電話機２０がＷｅｂブラウザまたはアプリケーションを用いてホストサーバ１０と通信を開始すると、特定の映像等のデータの購入を促す画像を携帯電話機２０に送信する。そしてさらに、クレジットカード番号やパスワードを入力するなどの認証を求める画像を送信し、携帯電話機２０から認証する旨の信号を受信すると、その信号を解析する。そして、その信号とユーザデータベース１４に記憶された情報（クレジットカード番号やパスワードの情報）とが一致することを確認すると、特定の映像等のデータが購入されたものとみなし、以下、録画予約処理のＳ６３０移行の処理を行う。
【０１０７】
このとき、Ｓ６８０では、このデータをホストサーバ１０等の指定の通信相手から取得するためのコマンドを通信装置に対して送信する。
そして、通信装置は通信部３２を介して、このコマンドにより指定された通信相手と通信を行い、所定のデータを録画部３３により記憶させる。
【０１０８】
このようにすれば、携帯電話機２０にて認証済のデータを通信装置により容易に記録することができる。
また、本実施例では、キーワードを抽出する際にテキストデータを用いたが、特にテキストデータに限らず、例えば、キーワード毎にＩＤ（識別子）を割り当てておき、このＩＤが含まれているか否かに基づいてキーワードが含まれているか否かを判定するよう構成してもよい。
【実施例２】
【０１０９】
次に、別形態のシステムについて説明する。本実施例（実施例２）にて説明するシステムは、ホストサーバ１０の通信相手となる装置が異なるのみであって、その他の構成は実施例１のシステムと同様の構成である。従って、本実施例（実施例２）では、実施例１のシステムと異なる箇所のみを詳述し、実施例１のシステムと同様の箇所については、同一の符号を付して説明を省略する。
【０１１０】
まず、本実施例（実施例２）のホストサーバ１０は、携帯電話機２０の動作状態（操作内容）を監視することにより、その操作内容を特定するとともに、操作内容に特定のキーワードが含まれているか否かを判定することにより、使用者の嗜好を調査可能に構成されている。つまり、実施例１では番組情報にキーワードが含まれているか否かを判定したが、本実施例（実施例２）では番組情報の換わりに携帯電話機２０（通信装置）が取り扱った情報を表す取扱情報に特定のキーワードが含まれているか否かを判定する。
【０１１１】
具体的には、携帯電話機２０は、ホストサーバ１０を介して他の機器と通信を行うよう設定されているとともに、使用者により操作された操作内容を干すとサーバ１０に送信するよう構成されており、ホストサーバ１０では、以下のような処理が行われる。図８はホストサーバ１０の制御部１１が行う操作内容取得処理を示すフローチャートである。
【０１１２】
この操作内容取得処理は、ホストサーバ１０が携帯電話機２０からのアクセスを受けたときに開始される処理である。
即ち、この処理は、図８に示すように、Ｓ９１０にて携帯電話機２０との接続が確立されたか否かを判定する。携帯電話機２０との接続が確立されていればＳ９２０に移行し、携帯電話機２０との接続が確立されていなければＳ９１０を繰り返す。
【０１１３】
次いで、Ｓ９２０では、携帯電話機２０との接続が切断されたか否かを判定する。携帯電話機２０との接続が維持されていればＳ９３０に移行し、携帯電話機２０との接続が切断されていれば操作内容取得処理を終了する。
【０１１４】
次に、Ｓ９３０では、携帯電話機２０と接続された状態で携帯電話機２０が操作されたか否かを判定する。携帯電話機２０が操作されていれば、この操作内容を取得してＳ９４０に移行し、携帯電話機２０が操作されていなければＳ９２０に戻る。
【０１１５】
そして、Ｓ９４０では、Ｓ９３０にて取得した操作内容がホストサーバ１０の監視対象となる特定操作であるか否かを判定する。
ここで、特定操作とは、例えば、予めホスト装置１０の何れかのデータベースに記憶された、特定のリンク先への接続操作や、特定画像の閲覧、或いはアンケートに対して回答を行う等の操作が該当する。
【０１１６】
Ｓ９４０にて、取得した操作内容が特定操作であればＳ９５０に移行し、取得した操作内容が特定操作でなければＳ９２０に戻る。
そして、Ｓ９５０では、操作内容を操作ログとしてユーザデータベース１４に記憶し、Ｓ９２０に戻る。
【０１１７】
このような処理により、ユーザデータベース１４には、携帯電話機２０の使用者による操作ログが記憶される。なお、この操作ログには、操作内容がテキストデータで記憶されている。
【０１１８】
次に、ユーザデータベース１４に記憶された操作ログから使用者の嗜好を調査することもできる。
即ち、図３に示すキーワード抽出処理と同様の処理を行えばよい。ただし、本実施例の場合には、各操作ログにキーワードが含まれているか否かを判定する。このため、この処理においては、Ｓ３１０、Ｓ３９０の「通信装置」を「携帯電話機」に置換し、Ｓ３２０、Ｓ３７５の「番組名」を「操作ログ」に置換し、さらに、Ｓ３３０の処理を削除すればよい。
【０１１９】
以上のように説明したシステムにおいて、ホストサーバ１０は、監視対象の携帯電話機２０との間で通信を行い、携帯電話機２０が取り扱った情報を表す取扱情報を取得する。そして、取得された取扱情報の内容に基づいて、携帯電話機２０が取り扱った情報を特定する。また、携帯電話機２０の使用者の嗜好を調査するためのキーワードを予め何れかのデータベースに記憶しておき、取得された取扱情報に、データベースに記憶されたキーワードが含まれているか否かを判定する。そして、キーワードが含まれていると判定した場合に、携帯電話機２０の使用者がキーワードを含む情報を取り扱ったことをユーザデータベース１４に記憶させる。
【０１２０】
従って、このようなシステムによれば、携帯電話機２０が受信した番組情報に特定のキーワードが含まれているか否かを判定することができるので、視聴者がキーワードにより識別される特定の操作を行ったか否かを容易に判定することができる。つまり、携帯電話機２０の使用者が特定の事項に対して嗜好を有するか否かを調査することができる。
【０１２１】
なお、携帯電話機２０の制御部２１に操作ログを記憶可能な記憶部が備えられている場合には、図８に示す操作内容取得処理を行う必要はなく、図２に示す受信番組情報取得処理を一部変更した操作内容取得処理を行えばよい。
【０１２２】
即ち、この場合の操作内容取得処理においては、Ｓ１１０、Ｓ１３０、Ｓ２１０の「通信装置」との記載を「携帯電話機」に改め、Ｓ１４０、Ｓ１５０、Ｓ２２０の「受信ログ」および「特定された番組名」との記載を「操作ログ」に改めるとともに、Ｓ１９０の処理を削除した処理を実行すればよい。
【０１２３】
つまり、このようなシステムにおいては、ホストサーバ１０は任意のタイミングで携帯電話機２０と通信を行うことにより、携帯電話機２０に記憶された取扱情報を取得することができる。
【０１２４】
従って、このようなシステムによれば、ホストサーバ１０が携帯電話機２０と常に通信可能に接続されていなくても、取扱情報を取得し、特定することができる。
【図面の簡単な説明】
【０１２５】
【図１】ホストサーバ１０を備えたシステムの構成を示すブロック図である。
【図２】受信番組情報取得処理を示すフローチャートである。
【図３】キーワード抽出処理を示すフローチャートである。
【図４】累積表データ５１を示す説明図である。
【図５】メール送信処理を示すフローチャートである。
【図６】録画予約処理を示すフローチャートである。
【図７】変形例の録画予約処理を示すフローチャートである。
【図８】操作内容取得処理を示すフローチャートである。
【符号の説明】
【０１２６】
７…インターネット網、９…電話回線網、１０…ホストサーバ、１１…制御部、１２…ＥＰＧデータベース、１３…スポンサデータベース、１４…ユーザデータベース、１５…通信部、２０…携帯電話機、２１…制御部、２２…操作部、２３…ディスプレイ、２４…通信部、３０…通信装置、３１…処理部、３２…通信部、３３…録画部、３４…記憶部、３５…受信部、５１…累積表データ、９１…ＥＰＧサーバ、９２…メーカサーバ、９３…基地局、９４…スポンササーバ。
【図１】
2007104209.tif 000003
【図２】
2007104209.tif 000004
【図３】
2007104209.tif 000005
【図４】
2007104209.tif 000006
【図５】
2007104209.tif 000007
【図６】
2007104209.tif 000008
【図７】
2007104209.tif 000009
【図８】
2007104209.tif 000010